(57)【要約】【課題】普通券として使用されるような短期使用券を非接触式トークンとしたときのトークン管理を簡単に行えるようにする。【解決手段】トークン発行機から発行された非接触式トークンを用いて非接触式自動改札機を介して入場し、その非接触式自動改札機に投入して出場し、その非接触式自動改札機で回収された非接触式トークンをそのトークン発行機にセットして非接触式トークンを再利用する非接触式トークンを用いた改札処理システムにおける非接触式トークンの管理システムであって、前記非接触式トークンに記録されているその非接触式トークンが製造されたときに記録されている所定のユニークなデータ（例えば製造Ｎｏ．）に基づいてその非接触式トークンを管理することを特徴とする。【選択図】　　　図２
2004078829.tif 000002
【特許請求の範囲】
【請求項１】
トークン発行機から発行された非接触式トークンを用いて非接触式自動改札機を介して入場し、その非接触式自動改札機に投入して出場し、その非接触式自動改札機で回収された非接触式トークンをそのトークン発行機にセットして非接触式トークンを再利用する非接触式トークンを用いた改札処理システムにおける非接触式トークンの管理システムであって、
前記非接触式トークンに記録されているその非接触式トークンが製造されたときに記録されている所定のユニークなデータに基づいてその非接触式トークンを管理することを特徴とする非接触式トークンの管理システム。
【請求項２】
請求項１に記載の非接触式トークンの管理システムにおいて、所定のユニークなデータは、非接触式トークン毎に記録される製造番号であることを特徴とする非接触式トークンの管理システム。
【請求項３】
請求項１又は２に記載の非接触式トークンの管理システムであって、
非接触式トークンの管理は、トークン発行機及び非接触式自動改札機等の駅務機器を統括的に管理する、鉄道会社の本社等の所定の中央に設けられているホストコンピュータにより行われるものであることを特徴とする非接触式トークンの管理システム。
【発明の詳細な説明】
【０００１】
【発明の属する技術分野】
本発明は、非接触式トークンを用いて列車に乗車する改札処理システムの非接触式トークンの管理システムに関する。
【０００２】
【従来の技術】
本出願人は、先に、特願２００１−３０７５４７号等において、非接触式トークン（以下、「トークン」という。）を用いた改札処理システムを提案している。この改札処理システムは、利用者（旅客）が列車（電車）に乗車するときにトークン発行機で所定の情報（トークンデータ）の記録されているトークンを購入し、その購入したトークンを非接触式自動改札機のアンテナに軽くタッチし、又はそのアンテナにかざすと（以下、タッチで説明する。）、非接触式自動改札機とトークンとの間でデータ授受が行われて入場が許可されて列車に乗車することができる。そして、降車駅に設置されている非接触式自動改札機の投入口にトークンが投入されると、その投入されたトークンと非接触式自動改札機との間でデータ授受が行われて出場が許可される。なお、乗越し等において精算処理が必要なとき、トークンは、精算機を用いて精算処理を行った後に非接触式自動改札機の投入口に投入される。非接触式自動改札機の投入口に投入されて回収されたトークンは、再びトークン発行機にセットされて再利用（再使用）される。
【０００３】
上記提案に係る改札処理システムは、トークンが回収されて繰返し利用されるので、資源の有効活用を図ることができるなどの特長を有している。
【０００４】
【発明が解決しようとする課題】
ところで、上記提案に係る改札処理システムで用いられる各トークンは、所定の寿命が決められているなどの理由により、鉄道会社の本社等の所定の中央に設けられているホストコンピュータによって、現在、運用されている定期券やＳＦカードの非接触券と同様に、統括的に管理できるようにすることが考えられている。
【０００５】
すなわち、トークンに対しても非接触券からなる定期券やＳＦカード（以下、定期券を例に説明する。）のように、トークンを所定の初期化処理（以下、この処理を「一時処理」という。）した後、トークン発行機にセットし、そのトークン発行機からトークンが発行（以下、この発行を「二次発行」という。）されるときに、運賃料金価値、発行駅、発行日時等の所定のデータが書込まれている。そして、上述の一時発行時には、非接触券からなる定期券と同様に、セキュリティ用の暗号鍵等の所定のデータを記録するとともに、ホストコンピュータが各トークン毎の管理を行えるようなシステム定数を記録して上位（ホストコンピュータ）記録するようにすることが考えられている。
【０００６】
しかし、このような非接触式の定期券と同じ管理の方法では、各駅でトークンを発行する前に大量のトークンを一時発行（初期化処理）する必要があり、時間とコストの面で採用することができないという欠点があった。
【０００７】
そこで、本発明は、上述の欠点を解決するためになされたものであって、その目的は、一時発行することなくトークンを管理することのできるトークンの管理システムを提供することにある。
【０００８】
【課題を解決するための手段】
本発明に係るトークンの管理システムは、上記目的を達成するため、請求項１に記載の発明は、トークン発行機から発行されたトークンを用いて非接触式自動改札機を介して入場し、その非接触式自動改札機に投入して出場し、その非接触式自動改札機で回収されたトークンをそのトークン発行機にセットしてトークンを再利用するトークンを用いた改札処理システムにおけるトークンの管理システムであって、前記トークンに記録されているそのトークンが製造されたときに記録されている所定のユニークなデータに基づいてそのトークンを管理することを特徴としている。
本発明の請求項２に記載のトークンの管理システムは、所定のユニークなデータは、トークン毎に記録される製造番号であることを特徴としている。
【０００９】
本発明の請求項３に記載のトークンの管理システムは、トークンの管理は、トークン発行機及び非接触式自動改札機等の駅務機器を統括的に管理する、鉄道会社の本社等の所定の中央に設けられているホストコンピュータにより行われるものであることを特徴としている。
【００１０】
【発明の実施の形態】
以下、本発明の実施の形態を図面に基づいて説明する。図１は、一実施の形態に係るトークンの管理システムを適用した改札処理システムの概略構成図である。ここでは、図面を簡略化するために、また、説明を簡単にするために、路線図は、甲駅及び乙駅の２駅を有する簡易なものとして示されている。
【００１１】
各駅（甲駅及び乙駅）には、非接触式自動改札機（以下、「自動改札機」という。）Ｇ，Ｇ、トークン発行機ａ，ａ及び精算機ｂ，ｂがそれぞれ設置されている。
【００１２】
トークン発行機ａは、所定の金銭（金銭をプリペイドカード等のカード類で支払う場合も含む。）が投入されると、自動改札機Ｇを用いて入場可能なコイン状トークンＴが発行されるように構成されている。すなわち、このトークン発行機ａは、タッチパネル等からなる口座釦群の中から所定の口座釦が押下され、かつ、その押下された口座釦の金額を満たす金銭が投入されると、所定のトークンデータの書込まれたトークンＴが発行されるように構成されている。なお、トークンＴは、コイン状としたが、カード状とすることもできる。
【００１３】
精算機ｂは、トークンＴと交信する交信部と、その交信部を介して入力したそのトークンＴに記録されているデータを基に演算処理して不足料金を算出する不足料金算出部と、その不足料金算出手段で算出された不足料金を表示する表示部と、その表示部に表示された料金（プリペイドカード等のカード類も含む。）が投入されたときに交信部を介してそのトークンＴに精算済データを書込む書込部とから構成されている。したがって、この精算機ｂは、周知の磁気券用の精算機のように、精算原券を内部に回収する必要がなく、また、新たな精算券を発行することなくトークンＴを自動改札機Ｇで使用できる特長を有している。
【００１４】
自動改札機Ｇは、図示しないが、入口側の筐体の上面に自動改札機Ｇが出場用として用いられたときのトークンＴを投入するための投入口と、自動改札機Ｇが入場用として用いられたときのトークンＴ（改札処理システムで非接触券も用いられるときは、その非接触券も含む。）と交信するためのアンテナが設けられている。投入口には、投入されたトークンＴと交信するためのアンテナが設けられているとともに、その投入されたトークンＴを自動改札機Ｇ内に回収する回収ボックスが設けられている。
【００１５】
また、この自動改札機Ｇには、図示しないが、筐体の改札通路の入口側には、自動改札機Ｇの使用状態、つまり、改札通路を通過できるか否かを利用者に表示するための表示部、その改札通路への利用者の進入又は改札通路からの退出、あるいは、通過を検知するための人間検知器、利用者に対して音声により所定の案内をアナウンスするためのスピーカ、及び利用者に対して文字により所定の案内を行うための表示画面等が設けられている。
【００１６】
なお、上述のトークン発行機ａ及び精算機ｂは、利用者操作型であるが、係員窓口に設置される係員操作型であってもよい。係員操作型のトークン発行機は、係員に所定の金額の金銭を支払うことによって所定のトークンが発行される。また、係員操作型の精算機は、係員に所定の精算料金を支払うことによって精算処理される。通常、駅（甲駅，乙駅）には、このような係員操作型のトークン発行機及び精算機も設置されているが、図１では省略されている。したがって、本発明のトークン発行機及び精算機には、係員操作型のトークン発行機及び精算機も含まれている。
【００１７】
図１中、ｃ１　，ｃ２　は、各駅（甲駅，乙駅）にそれぞれ設置されている駅務機器（トークン発行機ａ，精算機ｂ，自動改札機Ｇ）を管理制御する駅務機器制御装置、いわゆる駅制であって、マイクロコンピュータを中心に構成されている。これら駅制ｃ１　，ｃ２　は、通信回線Ｌ，Ｌを介して鉄道会社の本社等の所定の中央（図示の例では本社）に設けられているホストコンピュータＨに接続されている。
【００１８】
図２は、上述のトークン発行機ａ、精算機ｂ又は自動改札機Ｇからなるトークン処理機の制御器１及びトークンＴの電気的構成を示すブロック図である。制御器１側から説明すると、この制御器１の制御部２は、メモリ３に記憶されているシステムプログラム及びワーキングデータを用いて演算処理を行って、トークン処理機を統括的に制御できるように構成されている。そして、この制御部２には、図示しないＩ／Ｏユニットを介して処理ユニット４が接続されている。この処理ユニット４には、トークン処理機が自動改札機Ｇの場合は、ドアを駆動制御するドア駆動ユニット、表示画面の表示内容を駆動制御する表示画面駆動ユニット、スピーカを駆動制御する音声ドライバ、人間検知器の検知信号を入力するためのセンサアンプ等が含まれる。トークン処理機がトークン発行機ａの場合の処理ユニット４には、トークン発行ユニット、金銭処理ユニット等が含まれ、また、トークン処理機が精算機ｂの場合の処理ユニット４には、金銭処理ユニット等が含まれる。
【００１９】
リーダライタＲには、トークンＴと交信を行うためのアンテナＡが接続されている。このアンテナＡは、トークンＴとデータ授受を行う機能と、トークンＴに電力を供給するための機能とを有している。
【００２０】
トークンＴは、無線通信機能を有する周知のＩＣカードからなる非接触券と同様に、アンテナ１０と、通信制御部１１と、ＣＰＵ１２と、メモリ１３と、自動改札機Ｇからの電力波をアンテナ１０を介して受信し、トークンＴの駆動電力を生成する電力生成回路１４とを有している。メモリ１３には、ＣＰＵ１２の演算処理用のシステムプログラムデータ以外に、そのメモリ１３内に設けられている製造者ＩＤ記憶部１３ａには、そのトークンＴの製造者及び製造番号（この製造番号は、各トークンＴ毎に異なっている。）が記憶されている。また、そのメモリ１３のトークンデータ記憶部１３ｂには、トークンＴが乗車券として用いられるのに必要な運賃データや区数データ等の所定のデータが記録されように構成されている。
【００２１】
上記構成のトークンの管理システムにおいて、従来の非接触券からなる定期券のように、一時発行（初期化処理）されず、したがって、一時発行時にホストコンピュータＨに登録されることはない。トークンＴの登録は、トークンＴが、トークン発行機ａから発行される際、すなわち、二次発行される際に、メモリ１３の製造者ＩＤ記憶部１３ａに記憶されている所定のデータが駅制Ｃ１　，Ｃ２　及び通信回線Ｌを介してホストコンピュータＨに登録される。したがって、その発行されたトークンＴは、以後、その製造者ＩＤ記憶部１３ａに記憶されている所定のデータに基づいて自動改札機Ｇや精算機ｂにおけるトークンＴの流通状態がホストコンピュータＨにより把握されて管理される。
【００２２】
なお、上述のホストコンピュータＨで管理するデータは、トークンＴが単一の製造者だけで製造されているようなとき、製造者ＩＤ記憶部１３ａに記憶されている所定のデータのうち、製造番号のみを用いることができる。
【００２３】
【発明の効果】
本発明の請求項１に記載のトークンの管理システムは、トークンに記録されているそのトークンが製造されたときに記録されている所定のユニークなデータに基づいてそのトークンを管理するので、トークンを簡単に管理することが可能となる。
本発明の請求項２に記載のトークンの管理システムは、所定のユニークなデータをトークン毎に記録される製造番号としたので、簡単にトークンを管理することができる。
本発明の請求項３に記載のトークンの管理システムは、トークンの管理は、トークン発行機及び非接触式自動改札機等の駅務機器を統括的に管理する、鉄道会社の本社等の所定の中央に設けられているホストコンピュータにより行われるので、ホストコンピュータで統括的に管理することができる。
【図面の簡単な説明】
【図１】本発明の一実施の形態に係るトークン管理システムを用いた改札処理システムの概略構成図である。
【図２】トークン処理機の制御器及びトークンの電気的構成を示すブロック図である。
【符号の説明】
Ｔ　トークン（非接触式トークン）
Ｇ　非接触式自動改札機（自動改札機）
ａ　トークン発行機
ｂ　精算機
Ｃ１　，Ｃ２　　駅制
Ｌ　通信回線
【図１】
2004078829.tif 000003
【図２】
2004078829.tif 000004